(57)【特許請求の範囲】
【請求項１】
ガス供給元から複数の住宅側に燃料ガスを供給するメイン流路と、前記メイン流路に設けられた親調整器と、前記メイン流路をバイパスするバイパス流路と、前記バイパス流路に設けられ、前記親調整器の調整圧力よりも調整圧力が高く設定された子調整器とを備えたガス供給システムであって、
異常状態を検出する異常状態検出手段と、
前記メイン流路を通じて流れる燃料ガスと前記バイパス流路を通じて流れる燃料ガスの合流箇所に設けられ、前記異常状態検出手段により異常状態が検出された場合に流路を遮断する流路遮断手段と、を備え、
前記親調整器は、ダイヤフラムの変位に応じて第１弁体を動作させることで前記メイン流路からノズル部を介して減圧室に流入する燃料ガス量を調整する構造であって、
前記バイパス流路は、前記親調整器の減圧室に接続され、
前記流路遮断手段は、前記バイパス流路を経て前記親調整器の減圧室に流れる燃料ガスを遮断する第２弁体を有し、前記異常状態検出手段により異常状態が検出された場合に前記第２弁体を動作させて前記バイパス流路を経て前記親調整器の減圧室に流れる燃料ガスを遮断すると共に、前記第２弁体の遮断動作に合わせて前記ダイヤフラムを変位させて前記第１弁体を動作させることにより、前記メイン流路を経て前記ノズル部から前記親調整器の減圧室に流れる燃料ガスを遮断する
ことを特徴とするガス供給システム。
【請求項２】
前記子調整器、前記バイパス流路の全体、前記流路遮断手段及び前記異常状態検出手段は、一体に組み付けられてユニット化されている
ことを特徴とする請求項１に記載のガス供給システム。
【請求項３】
前記異常状態検出手段は、マイコンガスメータによって構成され、
前記バイパス流路のうち前記マイコンガスメータの出口から延びるバイパス流路は、前記マイコンガスメータの裏面側に配索されている
ことを特徴とする請求項１又は請求項２のいずれか１項に記載のガス供給システム。
【請求項４】
前記第２弁体はモータにより駆動され、
前記異常状態検出手段は、異常を検出した場合に信号線を介して前記モータに流路を閉じる旨の信号を出力することにより前記第２弁体を動作させて流路を遮断すると共に、操作可能に設けられた操作スイッチが操作された場合に信号線を介して前記モータに流路を開ける旨の信号を出力することにより前記第２弁体を動作させて遮断した流路を開放する
ことを特徴とする請求項１から請求項３のいずれか１項に記載のガス供給システム。
【発明の詳細な説明】
【技術分野】
【０００１】
本発明は、ガス供給システムに関する。
【背景技術】
【０００２】
従来、集合住宅など複数の住宅に燃料ガスを供給するガス供給システムが提案されている。ガス供給システムは、ガス供給元からの燃料ガスを複数の住宅側に供給するガス流路と、ガス流路を通じで流れてきた燃料ガスを複数の住宅に分配供給する複数の個別ガス流路とを備えている。
【０００３】
また、ガス流路は、メインとなるメイン流路と、メイン流路をバイパスするバイパス流路とからなり、バイパス流路上に漏洩検知装置が設けられている。そして、漏洩検知装置は、燃料ガスが例えば３０日間連続して流れている場合に、漏洩の疑いがあると判断し、警報や発呼を行う。
【０００４】
また、ガス供給システムにおいて、メイン流路には親調整器が設置され、バイパス流路には親調整器よりも調整圧力が高く設定された子調整器が設置される。このため、家庭内で小流量の燃料ガスが使用されたり漏洩が発生したりすると、まず、子調整器を介して燃料ガスが流れる。その後、使用される燃料ガスの流量が大きくなると、親調整器及び子調整器の双方を介して燃料ガスが流れる（例えば特許文献１及び２参照）。
【先行技術文献】
【特許文献】
【０００５】
【特許文献１】特開平３−４１３００号公報
【特許文献２】特開平５−２９６８７３号公報
【発明の概要】
【発明が解決しようとする課題】
【０００６】
しかし、従来のガス供給システムでは、ガス流路におけるガス漏洩や地震等の異常状態の発生時において、各家庭に設けられるガスメータが流路を遮断するものの、ガスメータ上流側においては流路を遮断することができず、このような場合には大量の燃料ガスが漏れてしまう可能性があった。
【０００７】
本発明はこのような従来の課題を解決するためになされたものであり、その発明の目的とするところは、大量ガス漏れを防止することが可能なガス供給システムを提供することにある。
【課題を解決するための手段】
【０００８】
本発明のガス供給システムは、ガス供給元から複数の住宅側に燃料ガスを供給するメイン流路と、前記メイン流路に設けられた親調整器と、前記メイン流路をバイパスするバイパス流路と、前記バイパス流路に設けられ、前記親調整器の調整圧力よりも調整圧力が高く設定された子調整器とを備えたガス供給システムであって、異常状態を検出する異常状態検出手段と、前記メイン流路を通じて流れる燃料ガスと前記バイパス流路を通じて流れる燃料ガスの合流箇所に設けられ、前記異常状態検出手段により異常状態が検出された場合に流路を遮断する流路遮断手段と、を備え、前記親調整器は、ダイヤフラムの変位に応じて第１弁体を動作させることで前記メイン流路からノズル部を介して減圧室に流入する燃料ガス量を調整する構造であって、前記バイパス流路は、前記親調整器の減圧室に接続され、前記流路遮断手段は、前記バイパス流路を経て前記親調整器の減圧室に流れる燃料ガスを遮断する第２弁体を有し、前記異常状態検出手段により異常状態が検出された場合に前記第２弁体を動作させて前記バイパス流路を経て前記親調整器の減圧室に流れる燃料ガスを遮断すると共に、前記第２弁体の遮断動作に合わせて前記ダイヤフラムを変位させて前記第１弁体を動作させることにより、前記メイン流路を経て前記ノズル部から前記親調整器の減圧室に流れる燃料ガスを遮断することを特徴とする。
【０００９】
このガス供給システムによれば、メイン流路を通じて流れる燃料ガスとバイパス流路を通じて流れる燃料ガスの合流箇所、又は合流箇所の下流側、且つ、複数の住宅側に流路が分岐される分岐箇所の上流側に設けられ、異常状態が検出された場合に流路を遮断する流路遮断手段を備えている。このため、ガス流路におけるガス漏洩や地震等の異常状態の発生時において流路遮断手段により流路を遮断できることとなり、流路遮断手段により遮断される箇所の下流側についてのガス漏れを防止できることとなる。従って、大量ガス漏れを防止することができる。さらに、流路遮断手段は、バイパス流路を経て親調整器の減圧室に流れる燃料ガスを遮断する第２弁体を有し、第２弁体の動作に合わせてダイヤフラムを変位させてメイン流路を経てノズル部から親調整器の減圧室に流れる燃料ガスを遮断する。このため、第２弁体を動作させることにより、メイン流路及びバイパス流路双方の流路を１動作で遮断することができる。
【００１０】
また、本発明のガス供給システムにおいて、子調整器、バイパス流路の全体、流路遮断手段及び異常状態検出手段は、一体に組み付けられてユニット化されていることが好ましい。
【００１１】
このガス供給システムによれば、子調整器、バイパス流路の全体、流路遮断手段及び異常状態検出手段は、一体に組み付けられてユニット化されているため、上記構成を備えないガス供給システムに対してユニットを後から組み付けることにより大量ガス漏れを防止する設備を比較的容易に実現することができる。
【００１２】
また、本発明のガス供給システムにおいて、前記異常状態検出手段は、マイコンガスメータによって構成され、前記バイパス流路のうち前記マイコンガスメータの出口から延びるバイパス流路は、前記マイコンガスメータの裏面側に配索されていることが好ましい。
【００１３】
このガス供給システムによれば、バイパス流路を壁面等に固定可能とすることができる。
【００１４】
また、本発明のガス供給システムにおいて、第２弁体はモータにより駆動され、異常状態検出手段は、異常を検出した場合に信号線を介してモータに流路を閉じる旨の信号を出力することにより第２弁体を動作させて流路を遮断すると共に、操作可能に設けられた操作スイッチが操作された場合に信号線を介してモータに流路を開ける旨の信号を出力することにより第２弁体を動作させて遮断した流路を開放することが好ましい。
【００１５】
このガス供給システムによれば、信号線を介してモータ弁を閉じる旨の信号を出力することにより第２弁体を動作させて流路を遮断すると共に、操作スイッチが操作された場合には第２弁体を動作させて遮断した流路を開放する。このため、異常状態の発生により流路が遮断されてしまっても、操作スイッチを操作するだけで２つの流路を開放することができ、ガスメータにおいて遮断弁を開ける際と同様の操作により流路を開放でき、開放する際の操作の容易化を図ることができる。
【発明の効果】
【００１６】
本発明によれば、大量ガス漏れを防止することが可能なガス供給システムを提供することができる。
【図面の簡単な説明】
【００１７】
【図１】本発明の実施形態に係るガス供給システムの構成図である。
【図２】図１に示した親調整器及び流路遮断器の詳細を示す断面図である。
【図３】図１に示したガス供給システムの一部を詳細に示す構成図であって、（ａ）は正面図であり、は側面図である。
【図４】本実施形態に係るガス供給システムの変形例を示す概略構成図である。
【発明を実施するための形態】
【００１８】
以下、本発明の好適な実施形態を図面に基づいて説明する。図１は、本発明の実施形態に係るガス供給システム１を示す概略構成図である。なお、以下では、ＬＰガスを燃料ガスとして供給するガス供給システム１を例に説明するが、これに限らず、ガス供給システム１は都市ガスを供給するものであってもよい。
【００１９】
ガス供給システム１は、ガスボンベ（ガス供給元）１０から複数の住宅２に燃料ガスを供給する住宅設備である。このガス供給システム１は、ガスボンベ１０と、ガス流路２０と、圧力調整器３０〜５０と、異常状態検出装置（異常状態検出手段）６０と、流路遮断器（流路遮断手段）７０とを備えている。
【００２０】
ガス流路２０は、ガスボンベ１０から複数の住宅２側まで連続する流路であって、メイン流路２１と、バイパス流路２２とからなっている。メイン流路２１は、ガスボンベ１０から複数の住宅２側に燃料ガスを供給するメインとなる流路である。バイパス流路２２は、メイン流路２１をバイパスするものであって、両端がメイン流路２１に接続されている。
【００２１】
圧力調整器３０〜５０は、ガス流路２０上に設けられ、閉塞状態と開放状態との２状態により下流側のガス圧力を調整するものである。このうち、元調整器３０はガスボンベ１０側に設けられている。また、親調整器４０は、メイン流路２１に設けられている。詳細に親調整器４０は、メイン流路２１のうちバイパス流路２２によってバイパスされる部分に設けられている。子調整器５０は、バイパス流路２２に設けられ、親調整器４０の調整圧力よりも調整圧力が高く設定されたものである。
【００２２】
異常状態検出装置６０は、ガス供給システム１の異常状態を検出するものである。この異常状態検出装置６０は、例えばマイコンガスメータにより構成され、内部に圧力センサ及び感震器を備えている。異常状態検出装置６０は、例えば配管亀裂などによりガス漏れが発生している場合、圧力センサからの閾値以下の圧力値に基づいて、ガス漏れを異常状態として検出する。また、異常状態検出装置６０は、感震器により所定以上の揺れを検出した場合、地震により配管損傷の可能性があることから、これを異常状態として検出する。さらに、異常状態検出装置６０は、異常状態を検出した場合、信号線７１を介してその旨の信号を流路遮断器７０に送信する。
【００２３】
流路遮断器７０は、異常状態検出装置６０により異常状態が検出された場合、流路を遮断するものであって、例えば親調整器４０の裏面に取り付けられている。
【００２４】
なお、住宅側設備１００は、複数の個別ガス流路１１０と、複数のバルブ１２０と、複数のガスメータ１３０と、複数のガス器具１４０とを備えている。複数の個別ガス流路１１０は、ガス流路２０を通じて流れてきた燃料ガスを複数の住宅２に供給するものである。これら複数の個別ガス流路１１０は、ガス流路２０から分岐するようにして、複数の住宅２にそれぞれに燃料ガスを供給する。
【００２５】
バルブ１２０は、各個別ガス流路１１０の上流部位に設けられている。このバルブ１２０を開閉することにより、各住宅２の住居者は燃料ガスを家庭内に引き込むことができる。
【００２６】
ガスメータ１３０は、燃料ガスの流量を測定して積算流量を表示するものである。複数のガス器具１４０は、ガスストーブ、ファンヒータ、給湯器、床暖房、ガステーブル、及び、ガスＢＦ風呂釜などである。
【００２７】
このようなガス供給システム１において、小流量の燃料ガスは、親調整器４０と子調整器５０との調整圧力の違いから、親調整器４０側を流れず、子調整器５０側を介して流れることとなる。また、大流量の燃料ガスは、親調整器４０及び子調整器５０の双方を介して流れることとなる。
【００２８】
ここで、本実施形態においてバイパス流路２２の下流側は、親調整器４０に接続されている。より詳細にバイパス流路２２の下流側は親調整器４０の減圧室に接続されている。このため、バイパス流路２２を流れる燃料ガスは、親調整器４０の減圧室に流入することとなる。さらに、流路遮断器７０は、メイン流路２１を通じて親調整器４０内の減圧室に流入する燃料ガス、及び、バイパス流路２２を通じて親調整器４０内の減圧室に流入する燃料ガスの双方を遮断する構成となっている。
【００２９】
図２は、図１に示した親調整器４０及び流路遮断器７０の詳細を示す断面図である。図２に示すように、親調整器４０は、燃料ガスの入口側に設けられたインレットパイプ４１のガス入口流路４１ａと、出口側のガス出口流路４２とを有し、ガス入口流路４１ａから受け入れた燃料ガスの圧力を調整してガス出口流路４２から排出するものである。
【００３０】
この親調整器４０は、概略的に本体部４０ａ、カバー４０ｂ、ダイヤフラム４０ｃ、作動杆４０ｄ、圧縮コイルスプリング４０ｅ、操作レバー４０ｆ、支軸４０ｇ、弁体４０ｈ、作用ピン４０ｉ、ナット４０ｊ、安全弁調整スプリング４０ｋ、安全弁の弁体４０ｌ、スプリング受け４０ｍ、座金４０ｎ、及びキャップ４０ｏを備えている。
【００３１】
本体部４０ａは、親調整器４０の主要部位であり、上記したインレットパイプ４１が接続されると共に、ガス出口流路４２が形成されている。カバー４０ｂは、本体部４０ａの開口部Ａを覆う部材であって本体部４０ａに固着されている。ダイヤフラム４０ｃは、周縁部が本体部４０ａとカバー部４０ｂとの接続部位に固着された薄膜部材である。このダイヤフラム４０ｃによって減圧室Ｂと大気室Ｃとが気密に区画されることとなる。
【００３２】
作動杆４０ｄは、ダイヤフラム４０ｃの中心に上下に貫通して設けられた部材である。圧縮コイルスプリング４０ｅは、ダイヤフラム４０ｃとカバー４０ｂとの間に介在されるバネ部材である。この圧縮コイルスプリング４０ｅによりダイヤフラム４０ｃが減圧室Ｂ側に付勢されることとなる。
【００３３】
操作レバー４０ｆは、作動杆４０ｄに接続される棒状部材である。支軸４０ｇは、操作レバー４０ｆの作動杆４０ｄの接続側と反対側に設けられる部材である。操作レバー４０ｆは、この支軸４０ｇを中心にして回動可能となっている。弁体４０ｈは、ガス入口流路４１ａに連通するノズル部４１ｂからの燃料ガスを調整するものである。この弁体４０ｈは、作用ピン４０ｉに接続されている。
【００３４】
ナット４０ｊは、作動杆４０ｄの操作レバー４０ｆの接続側と反対側（大気室Ｃ側）にネジ締めされており、このナット４０ｊとダイヤフラム４０ｃとの間に安全弁調整スプリング４０ｋが介在されている。安全弁の弁体４０ｌは、作動杆４０ｄの中間部において減圧室Ｂ側に設けられており、安全弁調整スプリング３３によって減圧室Ｂ側に付勢されている。
【００３５】
スプリング受け４０ｍは、カバー４０ｂに設けられており、圧縮コイルスプリング４０ｅは、このスプリング受け４０ｍを介してダイヤフラム４０ｃを減圧室Ｂ側に付勢することとなる。座金４０ｎは、ダイヤフラム４０ｃの上面に形成されており、安全弁調整スプリング４０ｋを受ける部材である。キャップ４０ｏは、カバー４０ｂの上端部に設けられた部材である。
【００３６】
このような親調整器４０は以下のようにして燃料ガスの圧力を調整する。まず、ノズル部４１ｂを介して減圧室Ｂに燃料ガスが流入し、減圧室Ｂ側の圧力が高まったとする。このとき、ダイヤフラム４０ｃが圧縮コイルスプリング４０ｅの付勢力に抗して大気室Ｃ側へ変位する。これにより、作動杆４０ｄも大気室Ｃ側に変位して、操作レバー４０ｆは、支軸４０ｇを中心にして図２において反時計回りに回転動作することとなる。この回転動作により弁体４０ｈは、図中左方向に移動してノズル部４１ｂからのガス流入量を減少させることとなる。
【００３７】
ガス流入量が減少すると、減圧室Ｂ側の圧力が低下することとなる。この際、ダイヤフラム４０ｃは圧縮コイルスプリング４０ｅの付勢力により減圧室４０Ｂ側に変位することとなる。これにより、作動杆４０ｄも減圧室Ｂ側に変位して、操作レバー４０ｆは、支軸４０ｇを中心にして図２において時計回りに回転動作することとなる。この回転動作により弁体４０ｈに接続される作用ピン４０ｉが引っ張られることとなり、弁体４０ｈは、図中右方向に移動してノズル部４１ｂからのガス流入量を増加させることとなる。
【００３８】
以上のようにして親調整器４０は圧力を調整することとなる。なお、元調整器３０及び子調整器５０についても同様の構成を有しており、同様の動作で圧力を調整することとなる。
【００３９】
流路遮断器７０は、このような親調整器４０に取り付けられている。図２に示すように、親調整器４０には開口部４０ｐが形成されており、開口部４０ｐを塞ぐように流路遮断器７０の筐体７２が覆っている。また、筐体７２にはバイパス流路２２が接続されており、バイパス流路２２を介して流れる燃料ガスは、開口部４０ｐを通じて親調整器４０の減圧室Ｂに流入する。
【００４０】
また、流路遮断器７０は、モータ弁７３を備えている。モータ弁７３は、モータ７３ａと弁体７３ｂとから構成されている。モータ７３ａは、異常状態検出装置６０から流路を閉じる旨の信号を受信すると動作して弁体７３ｂを親調整器４０側に移動させるものである。弁体７３ｂは、モータ７３ａに移動させられた場合に、開口部４０ｐを塞ぐと共に、親調整器４０の作動杆４０ｄを大気室Ｃ側に押す構成となっている。
【００４１】
また、弁体７３ｂが大気室Ｃ側に押し込まれた場合、作動杆４０ｄが大きく大気室Ｃ側に移動して、ダイヤフラム４０ｃを大きく変位させる。このとき、作動杆４０ｄに接続される操作レバー４０ｆも反時計回りに大きく回転し、弁体４０ｈによりノズル部４１ｂを完全に塞ぐこととなる。
【００４２】
また、モータ７３ａは、異常状態検出装置６０から流路を開ける旨の信号を受信すると動作して弁体７３ｂを親調整器４０と反対側に移動させる。これにより、親調整器４０は、通常の状態に戻り、メイン流路２１を介して流れる燃料ガスの圧力を調整することとなる。なお、異常状態検出装置６０には、操作可能に操作スイッチ６１が設けられており、この操作スイッチ６１が押下されることにより異常状態検出装置６０から流路を開ける旨の信号が出力される。
【００４３】
なお、流路遮断器７０の構成は上記に限らず、例えばガス出口流路４２に弁体を設けてガス出口流路４２を開閉する構成であってもよい。また、図２に示す例においてバイパス流路２２は筐体７２を介して間接的に親調整器４０の減圧室Ｂに接続されているが、これに限らず、直接減圧室Ｂに接続される構造であってもよい。
【００４４】
図３は、図１に示したガス供給システム１の一部を詳細に示す構成図であって、（ａ）は正面図であり、は側面図である。図３（ａ）に示すように、ガス供給装置１において子調整器５０は、バイパス流路２２の入口近傍に設けられている。また、異常状態検出装置６０は、マイコンガスメータにより構成され、その出口から伸びるバイパス流路２２は異常状態検出装置６０の裏面側に配索され、壁面等に固定可能な構造となっている。さらに、バイパス流路２２の出口側はゴム管などのフレキ管２２ａにより構成され、このフレキ管２２ａが流路遮断器７０に接続されている。
【００４５】
さらに、子調整器５０、バイパス流路２２、流路遮断器７０及び異常状態検出装置６０（すなわち図３（ａ）及びの破線内の構成）は、一体に組み付けられてユニット化されている。このため、破線内の構成を備えていないガス供給システムに対しても、破線内の構成を比較的容易に取り付けることができる。
【００４６】
詳細に説明すると、まず作業者はガスボンベ１０のバルブを閉じ、元調整器３０と親調整器４０との間のメイン流路２１、及び、親調整器４０の減圧室Ｂにつながる部位に開口を形成し、メイン流路２１の開口にバイパス流路２２の入口側を取り付ける。また、作業者は、親調整器４０の開口部４０ｐを流路遮断器７０の筐体７２により覆う。これにより、破線内の構成を備えていないガス供給システムに対しても、破線内の構成を比較的容易に取り付けることができる。
【００４７】
次に、本実施形態に係るガス供給システム１の動作を説明する。まず、各家庭２のユーザがガス器具１４０を使用し、ガス器具１４０に燃料ガスが供給されたとする。この際、燃料ガスの流量が比較的小さければ、燃料ガスは親調整器４０と子調整器５０との調整圧力の差から、子調整器４０（バイパス流路２２）のみを介して流れることとなる。
【００４８】
その後、他の家庭２のユーザ等により新たにガス器具１４０が使用されて、燃料ガスの流量が比較的大きくなったとする。このとき、燃料ガスは、子調整器４０側のみならず親調整器４０側にも流れることとなる。
【００４９】
また、親調整器４０及び子調整器５０の下流側において配管破損等が発生したとする。この場合、異常状態検出装置６０は、内部の圧力センサの圧力低下から大量ガス漏れを判断する。そして、異常状態検出装置６０は、信号線７１を介して流路遮断器７０に対して流路を閉じる旨の信号を送信する。この信号を受信すると、流路遮断器７０のモータ弁７３は弁体７３ｂを動作させて開口部４０ｐを塞ぐと共に、親調整器４０の作動杆４０ｄを大気室Ｃ側に押し込む。これにより、メイン流路２１を介して流れる燃料ガス、及び、バイパス流路２２を介して流れる燃料ガスは、合流箇所となる減圧室Ｂにおいて遮断されることとなる。
【００５０】
また、ガス供給システム１の設置地域において所定以上の地震が発生した場合にも、上記同様に、異常状態検出装置６０は、モータ弁７３の弁体７３ｂを動作させて開口部４０ｐを塞ぐと共に、親調整器４０の作動杆４０ｄを大気室Ｃ側に押し込み、２流路２１，２２を遮断することとなる。
【００５１】
このようにして、本実施形態に係るガス供給システム１によれば、メイン流路２１を通じて流れる燃料ガスとバイパス流路２２を通じて流れる燃料ガスの合流箇所に設けられ、異常状態が検出された場合に流路を遮断する流路遮断器７０を備えている。このため、ガス流路２０におけるガス漏洩や地震等の異常状態の発生時において流路遮断器７０により流路を遮断できることとなり、流路遮断器７０により遮断される箇所の下流側についてのガス漏れを防止できることとなる。従って、大量ガス漏れを防止することができる。
【００５２】
また、子調整器５０、バイパス流路２２、流路遮断器７０及び異常状態検出装置６０は、一体に組み付けられてユニット化されているため、上記構成を備えないガス供給システムに対してユニットを組み付けることにより大量ガス漏れを防止する設備を比較的容易に実現することができる。
【００５３】
また、流路遮断器７０は、バイパス流路２２を経て親調整器４０の減圧室Ｂに流れる燃料ガスを遮断する弁体７３ｂを有し、弁体７３ｂの動作に合わせてダイヤフラム４０ｃを変位させてメイン流路２１を経て親調整器４０の減圧室Ｂに流れる燃料ガスを遮断する。このため、弁体７３ｂを動作させることにより、メイン流路２１及びバイパス流路２２双方の流路を１動作で遮断することができる。
【００５４】
また、信号線７１を介してモータ弁７３を閉じる旨の信号を出力することにより弁体７３ｂを動作させて流路を遮断すると共に、操作スイッチ６１が操作された場合には弁体７３ｂを動作させて遮断した流路を開放する。このため、異常状態の発生により流路が遮断されてしまっても、操作スイッチ６１を操作するだけで２つの流路を開放することができ、ガスメータにおいて遮断弁を開ける際と同様の操作により流路を開放でき、開放する際の操作の容易化を図ることができる。
【００５５】
以上、実施形態に基づき本発明を説明したが、本発明は上記実施形態に限られるものではなく、本発明の趣旨を逸脱しない範囲で、変更を加えてもよい。
【００５６】
例えば、本実施形態において異常状態検出装置６０は圧力センサを備えているが、これに限らず、親調整器４０や子調整器５０が圧力センサを備え、その圧力センサからの信号を異常状態検出装置６０に入力するようにしてもよい。
【００５７】
また、ガス供給システム１は図４に示すように構成されてもよい。図４は、本実施形態に係るガス供給システム１の変形例を示す概略構成図である。図１に係るガス供給システム１ではメイン流路２１を通じて流れる燃料ガスとバイパス流路２２を通じて流れる燃料ガスの合流箇所が親調整器４０の減圧室Ｂであり、流路遮断器７０はその減圧室Ｂに流れ込む燃料ガスを遮断することとしていた。しかし、これに限らず、図４に示すように、合流箇所は、減圧室Ｂに限られるものではない。すなわち、バイパス流路２２を親調整器４０の下流側におけるメイン流路２１に接続し、この接続箇所を合流箇所としてもよい。また、流路遮断器７０は、合流箇所に流入する燃料ガスを遮断する構成でなくともよく、合流箇所の下流側において遮断する構成となっていてもよい。なお、この遮断箇所は、複数の住宅２側に流路が分岐される分岐箇所の上流側であることはいうまでもない。
【符号の説明】
【００５８】
１…ガス供給システム
２…住宅
１０…ガスボンベ（ガス供給元）
２０…ガス流路
２１…メイン流路
２２…バイパス流路
３０…元調整器
４０…親調整器
４０ａ…本体部
４０ｂ…カバー
４０ｃ…ダイヤフラム
４０ｄ…作動杆
４０ｅ…圧縮コイルスプリング
４０ｆ…操作レバー
４０ｇ…支軸
４０ｈ…弁体
４０ｉ…作用ピン
４０ｊ…ナット
４０ｋ…安全弁調整スプリング
４０ｌ…安全弁の弁体
４０ｍ…スプリング受け
４０ｎ…座金
４０ｏ…キャップ
４０ｐ…開口部
４１…インレットパイプ
４１ａ…ガス入口流路
４１ｂ…ノズル部
４２…ガス出口流路４２
５０…子調整器
６０…異常状態検出装置（異常状態検出手段）
６１…操作スイッチ
７０…流路遮断器（流路遮断手段）
７１…信号線
７２…筐体
７３…モータ弁
７３ａ…モータ
７３ｂ…弁体
１００…住宅側設備
１１０…複数の個別ガス流路
１２０…複数のバルブ
１３０…複数のガスメータ
１４０…複数のガス器具
Ａ…開口部
Ｂ…減圧室
Ｃ…大気室
【図１】
0006016416.tif 000002
【図２】
0006016416.tif 000003
【図３】
0006016416.tif 000004
【図４】
0006016416.tif 000005